(57)【特許請求の範囲】
【請求項１】
第１電源電圧と第２電源電圧との間の第１複数の電圧のうち最上位ガンマ電圧と最下位ガンマ電圧とを選択して出力する第１ガンマ電圧選択部と、
前記最上位ガンマ電圧と前記最下位ガンマ電圧とを受信して、前記最上位ガンマ電圧と前記最下位ガンマ電圧との間の第２複数の電圧のうち第１中間電圧と第２中間電圧とを選択して出力する第２ガンマ電圧選択部と、
前記最上位ガンマ電圧、前記最下位ガンマ電圧、前記第１中間電圧及び前記第２中間電圧を受信して、前記受信した電圧に基づいて、複数の基準電圧を発生させる第３ガンマ電圧選択部と、
前記最上位ガンマ電圧、最下位ガンマ電圧及び前記複数の基準電圧を受信して、前記受信した電圧に基づいて、複数のガンマ電圧を出力するガンマ電圧発生部とを備え、
前記第１ガンマ電圧選択部は、
前記第１電源電圧と前記第２電源電圧とを連結して前記第１複数の電圧を発生させる第１抵抗列と、
第１制御信号によって前記第１複数の電圧のうち一つを選択して前記最上位ガンマ電圧に出力する第１電圧選択器と、
第２制御信号によって前記第１複数の電圧のうち一つを選択して前記最下位ガンマ電圧に出力する第２電圧選択器とを備え、
前記第１ガンマ電圧選択部の第１抵抗列は可変抵抗を用いずに構成されて、複数の電圧の中から前記第１及び第２制御信号に基づいて所望の前記最上位ガンマ電圧と前記最下位ガンマ電圧とを各々選択することによりガンマ曲線の傾きを所望に変更可能とし、少ないチップ面積で広い調整幅を実現する
ことを特徴とするガンマ調整回路。
【請求項２】
前記第２ガンマ電圧選択部は、前記第１中間電圧と前記第２中間電圧とを調節することでガンマ曲線の傾きを調整する
ことを特徴とする請求項１に記載のガンマ調整回路。
【請求項３】
前記第３ガンマ電圧選択部は、前記複数の基準電圧を調節することでガンマ曲線を微細調整する
ことを特徴とする請求項１に記載のガンマ調整回路。
【請求項４】
前記第１ガンマ電圧選択部は、
前記第１電圧選択器によって選択された信号を安定化して前記最上位ガンマ電圧に出力する第１電圧フォロワ（ｆｏｌｌｏｗｅｒ）と、
前記第２電圧選択器によって選択された信号を安定化して前記最下位ガンマ電圧に出力する第２電圧フォロワとをさらに備える
ことを特徴とする請求項１に記載のガンマ調整回路。
【請求項５】
前記第２ガンマ電圧選択部は、
前記最上位ガンマ電圧と前記最下位ガンマ電圧とを連結して第２複数の電圧を発生させる第２抵抗列と、
第３制御信号によって前記第２複数の電圧のうち一つを選択して前記第１中間電圧を出力する第３電圧選択器と、
第４制御信号によって前記第２複数の電圧のうち一つを選択して前記第２中間電圧を出力する第４電圧選択器とを備える
ことを特徴とする請求項１に記載のガンマ調整回路。
【請求項６】
前記第２ガンマ電圧選択部は、
前記第３電圧選択器によって選択された信号を安定化して前記第１中間電圧に出力する第３電圧フォロワと、
前記第４電圧選択器によって選択された信号を安定化して前記第２中間電圧に出力する第４電圧フォロワとをさらに備える
ことを特徴とする請求項５に記載のガンマ調整回路。
【請求項７】
前記第３ガンマ電圧選択部は、
前記最上位ガンマ電圧と前記第１中間電圧とを連結して第３複数の電圧を発生させる第３抵抗列と、
前記第１中間電圧と前記第２中間電圧とを連結して第４複数の電圧を発生させる第４抵抗列と、
前記第２中間電圧と前記最下のガンマ電圧とを連結して第５複数の電圧を発生させる第５抵抗列と、
前記第３、第４及び第５複数の電圧のうち前記複数の基準電圧を選択して出力する複数の電圧選択器とを備える
ことを特徴とする請求項１に記載のガンマ調整回路。
【請求項８】
前記ガンマ電圧発生部は、抵抗列で構成された
ことを特徴とする請求項１に記載のガンマ調整回路。
【請求項９】
第１電源電圧と第２電源電圧との間を複数の抵抗で連結して複数の電圧を発生させる第１抵抗列と、
第１制御信号によって前記複数の電圧のうち一つの電圧を選択する第１電圧選択器と、
第２制御信号によって前記複数の電圧のうち一つの電圧を選択する第２電圧選択器と、
前記第１電圧選択器の出力電圧を受信して最上位ガンマ電圧に出力する第１電圧フォロワと、
前記第２電圧選択器の出力電圧を受信して最下位ガンマ電圧に出力する第２電圧フォロワと、
前記最上位ガンマ電圧と前記最下位ガンマ電圧との間を複数の抵抗で連結して第１複数の中間電圧を発生させる第２抵抗列と、
第３制御信号によって前記第１複数の中間電圧のうち一つを選択する第３電圧選択器と、
第４制御信号によって前記第１複数の中間電圧のうち一つを選択する第４電圧選択器と、
前記第３電圧選択器の出力電圧を受信して第１中間電圧に出力する第３電圧フォロワと、
前記第４電圧選択器の出力電圧を受信して第２中間電圧に出力する第４電圧フォロワと、
前記最上位ガンマ電圧、前記第１中間電圧、前記第２中間電圧、及び前記最下位ガンマ電圧を受信して第２複数の中間電圧を発生させる第３抵抗列と、
前記第２複数の中間電圧のうち複数の基準電圧を選択する複数個の電圧選択器と、
前記複数の基準電圧を受信して安定化された複数の基準電圧に出力する複数の電圧フォロワと、
前記最上位ガンマ電圧、前記安定化された複数の基準電圧及び前記最下位ガンマ電圧を受信してガンマ電圧を出力する第４抵抗列とを備え、
前記第１抵抗列は可変抵抗を用いずに構成されて、複数の電圧の中から前記第１及び第２制御信号に基づいて所望の前記最上位ガンマ電圧と前記最下位ガンマ電圧とを各々選択することによりガンマ曲線の傾きを所望に変更可能とし、少ないチップ面積で広い調整幅を実現する
ことを特徴とするガンマ調整回路。
【請求項１０】
請求項１乃至請求項９のいずれか一項に記載のガンマ調整回路を用いたガンマ調整方法において、
第１電源電圧と第２電源電圧との間の第１複数の電圧レベル（ｌｅｖｅｌ）のうち最上位ガンマ電圧と最下位ガンマ電圧とを選択する段階と、
前記最上位ガンマ電圧と前記最下位ガンマ電圧との間の第２複数の電圧レベルのうち第１中間電圧と第２中間電圧とを選択する段階と、
前記最上位ガンマ電圧と前記第１中間電圧との間、前記第１中間電圧と前記第２中間電圧との間、及び前記第２中間電圧と前記最下位中間電圧との間の各々の複数の電圧レベルのうち基準電圧を選択する段階と、
前記最上位ガンマ電圧、前記基準電圧及び前記最下位ガンマ電圧を基準にしてガンマ電圧を発生させる段階とを備える
ことを特徴とするガンマ調整方法。
【請求項１１】
前記最上位ガンマ電圧と前記最下位ガンマ電圧とを選択する段階は、
前記第１電源電圧と前記第２電源電圧とを抵抗列で連結して前記第１複数の電圧レベルを発生させる段階と、
第１制御信号によって前記第１複数の電圧レベルのうち最上位ガンマ電圧を選択する段階と、
第２制御信号によって前記第１複数の電圧レベルのうち最下位ガンマ電圧を選択する段階とをさらに備える
ことを特徴とする請求項１０に記載のガンマ調整方法。
【請求項１２】
前記第１中間電圧と前記第２中間電圧とを選択する段階は、
前記最上位ガンマ電圧と前記最下位ガンマ電圧とを抵抗列で連結して前記第２複数の電圧レベルを発生させる段階と、
第３制御信号によって前記第２複数の電圧レベルのうち第１中間電圧を選択する段階と、
第４制御信号によって前記第２複数の電圧レベルのうち第２中間電圧を選択する段階と、をさらに備える
ことを特徴とする請求項１０に記載のガンマ調整方法。
【発明の詳細な説明】
【技術分野】
【０００１】
本発明は、ガンマ(gamma)調整回路及びガンマ調整方法に係り、特に、最上位ガンマ電圧と最下位ガンマ電圧とを多くの電圧のうち選択してガンマ曲線を調整するガンマ調整回路及び調整方法に関する。
【背景技術】
【０００２】
ディスプレイ(display)装置は、入力されたイメージデータ(image data)と出力されるイメージと線形的な関係を表示することができないため、これを補償して出力すべく適当なガンマ曲線を用いて最適のイメージを表現する。しかし、同じイメージデータであってもパネル(panel)種類によって適当なガンマ曲線の最大値、最小値が異なり、また、ガンマ曲線の傾きが異なる。
【０００３】
したがって、多様なガンマ曲線を提供できるガンマ調整回路が必要である。既存のガンマ調整回路は、調整可能な電圧の範囲に限界があり、調整範囲を広げるために多くのチップ(chip)面積を要求した。少ないチップ面積で多様なガンマ曲線を提供できるガンマ調整回路及びガンマ調整方法が要求される。
【０００４】
図１は、ディスプレイ駆動装置の一部を表わすブロック(block)図である。図１を参照すれば、ディスプレイ駆動装置のデコーダ(decoder)１２０は、入力データを受信した後、ガンマ調整回路１１０のガンマ電圧(または、グレースケール電圧(gray scale voltage))を基準に入力データに該当するガンマ電圧をデコーダ１２０の出力として送り出す。
【０００５】
入力データが6ビット(bit)である場合、ガンマ電圧は64個の場合の電圧V0〜V63を提供する。このとき、同じ入力データでも該当するガンマ電圧が異なる場合、実際に出力されるデコーダ１２０の出力電圧が異なる。このようにガンマ電圧によって出力値を調整することができるために各ディスプレイパネル(display panel)に合うようにガンマ電圧を調節するためにガンマ調整回路１１０の使用が要求される。
【０００６】
図２は、従来のガンマ調整回路を表わす図面である。図２を参照すれば、ガンマ電圧の調整は、全体ガンマ電圧V0〜V63のうち特定ガンマ電圧の基準電圧VREF1〜VREF8を調整することでなされる。各制御信号C1〜C4によって各可変抵抗２１４、２１６、２３４、２３６の抵抗値を調節してガンマ電圧を調整する。
【０００７】
第１制御信号C1を調節して第１可変抵抗２１４の抵抗値を調節すれば、最上位ガンマ電圧V0の基準電圧である第１基準電圧VREF1が変わる。すなわち、第１可変抵抗２１４の抵抗値を高めれば、第１基準電圧VREF1の値が低くなり、最上位ガンマ電圧V0も低くなり、第１可変抵抗２１４の抵抗値を低めれば、第１基準電圧VREF1が高くなり、これによって最上位ガンマ電圧V0が高くなる。
【０００８】
これと同様に第２制御信号C2を介して第２可変抵抗２１６の抵抗値を低めれば、最下位ガンマ電圧V63の第８基準電圧VREF8の電圧が低くなり、これによって最下位ガンマ電圧V63が低くなる。第２可変抵抗２１６の抵抗値を高めれば、第８基準電圧VREF8が高くなり、最下位ガンマ電圧V63も高くなる。第３制御信号C3によって第３可変抵抗２３４の抵抗値を調節して第４制御信号C4によって第４可変抵抗２３６の抵抗値を調節して全体的なガンマ曲線の模様を決定する。
【０００９】
第１抵抗列２５２は、第１可変抵抗２１４と第３可変抵抗２３４とを連結して第２基準電圧VREF2として使われる電圧を発生させ、発生した電圧のうち一つの電圧が第１基準電圧制御信号Q1によって第２基準電圧VREF2として選択される。第２抵抗列２５４は、第３可変抵抗２３４と第４可変抵抗２３６とを連結して複数の電圧を発生させて、電圧選択器２５８は、第２基準電圧制御信号Q2ないし第５基準電圧制御信号Q5によって第３基準電圧VREF3ないし第６基準電圧VREF6を出力する。
【００１０】
第３抵抗列２５６は、第４可変抵抗２３６と第２可変抵抗２１６とを連結して複数の電圧を発生させて、電圧選択器２５８は、第６基準電圧制御信号Q6によって第７基準電圧VREF7を出力する。電圧を安定化のために各基準電圧VREF1〜VREV8は、すべて電圧フォロワ(voltage follower)を介して出力される。第４抵抗列２７０は、第２基準電圧VREF2ないし第７基準電圧VREF7を受信して最上位ガンマ電圧V0と最下位ガンマ電圧V63とを除いた残りガンマ電圧V1〜V62を出力する。
【００１１】
図３は、第１制御信号C1ないし第４制御信号C4によるガンマ曲線の例を示す。第１制御信号C1によって第１可変抵抗２１４の抵抗値が変わり、これによって第１基準電圧VREF1と最上位ガンマ電圧V0とが変わる。また、それによってガンマ曲線の傾きが変わることが分かる。第２制御信号C2によって第２可変抵抗２１６の抵抗値が変われば、図３のように最下位ガンマ電圧V63が変わって全体的なガンマ曲線が変わる。第３制御信号C3と第４制御信号C4とによって第３可変抵抗２３４と第４可変抵抗２３６との抵抗値が変われば、最上位ガンマ電圧V0と最下位ガンマ電圧V63とは大きく変化せず、中間の基準電圧VREF2〜VREF7の電圧値が変わってガンマ電圧が変わり、図３のようにガンマ曲線の全体的な傾きが変わる。
【００１２】
図４は、図２の可変抵抗の実施形態を表わす図面である。図４によれば、可変抵抗は、一連の抵抗列とアナログスイッチ(analog switch)とで構成されるが、制御信号によってアナログスイッチをオン(on)/オフ(off)して連結される抵抗個数を調節して抵抗値を調整する。
【００１３】
多様なガンマ電圧を提供するためには、制御信号C1〜C4と基準電圧制御信号Q1〜Q6とによって調整される範囲が広くなければならない。そのためには、可変抵抗の一連の抵抗の数とアナログスイッチ数を増加させる必要があり、またアナログスイッチの抵抗値を減らすためにはスイッチが非常に大きくなければならない。そして、第１可変抵抗２１４の抵抗値を変更すれば、総抵抗値が変わってすべての基準電圧VREF1〜VREF8が変わってユーザーがガンマ調整に不便を感じる。
【００１４】
このように従来の可変抵抗を用いるガンマ調整回路は、チップ面積が大きく、かつガンマ調整が不便であった。したがって、ガンマ電圧の調整幅を増加させながらも最小の面積を占めうるガンマ調整回路が必要であり、またガンマ調整の簡便な方式が要求される。
【発明の開示】
【発明が解決しようとする課題】
【００１５】
本発明が果たそうとする技術的課題は、少ない面積を占めながらも調整幅が広くて調節が容易なガンマ調整回路を提供することである。
【００１６】
本発明が果たそうとする他の技術的課題は、ガンマ電圧調整が容易くて調整幅が広いガンマ駆動方法を提供することである。
【課題を解決するための手段】
【００１７】
前記技術的課題を達成するための本発明の実施形態によるガンマ調整回路は、最上位ガンマ電圧と最下位ガンマ電圧とを選択してチップ面積を減少させてガンマ電圧調節を容易にするガンマ調整回路に関するもので第１ガンマ電圧選択部、第２ガンマ電圧選択部、第３ガンマ電圧選択部及びガンマ電圧発生部を備える。
【００１８】
第１ガンマ電圧選択部は、第１電源電圧と第２電源電圧との間の第１複数の電圧のうち最上位ガンマ電圧と最下位ガンマ電圧とを選択して出力する。第２ガンマ電圧選択部は、前記最上位ガンマ電圧と前記最下位ガンマ電圧とを受信して第１中間電圧と第２中間電圧とを選択して出力する。第３ガンマ電圧選択部は、前記最上位ガンマ電圧、前記最下位ガンマ電圧、前記第１中間電圧及び前記第２中間電圧を受信して、複数の基準電圧を発生させる。ガンマ電圧発生部は、前記最上位ガンマ電圧、最下位ガンマ電圧及び前記複数の基準電圧を受信してガンマ電圧を出力する。
【００１９】
前記他の技術的課題を達成するための本発明の実施形態によるガンマ調整回路は、第１抵抗列、第１電圧選択器、第２電圧選択器、第１電圧フォロワ、第２電圧フォロワ、第２抵抗列、第３電圧選択器、第４電圧選択器、第３電圧フォロワ、第４電圧フォロワ、第３抵抗列、複数の電圧選択器、複数の電圧フォロワ及び第４抵抗列を備える。
【００２０】
第１抵抗列は、第１電源電圧と第２電源電圧とを複数の抵抗で連結して複数の電圧を発生させ、第１電圧選択器は、第１制御信号によって前記複数の電圧のうち一つの電圧を選択する。そして、第２電圧選択器は、第２制御信号によって前記複数の電圧のうち一つの電圧を選択して出力する。第１電圧フォロワは、前記第１電圧選択器の出力電圧を受信して最上位ガンマ電圧に出力し、第２電圧フォロワは、前記第２電圧選択器の出力電圧を受信して最下位ガンマ電圧に出力する。
【００２１】
第２抵抗列は、前記最上位ガンマ電圧と前記最下位ガンマ電圧とを複数の抵抗で連結して第１複数の中間電圧を発生させ、第３電圧選択器は、第３制御信号によって前記第１複数の中間電圧のうち一つを選択し、第４電圧選択器は、第４制御信号によって前記第１複数の中間電圧のうち一つを選択する。第３電圧フォロワは、前記第３電圧選択器の出力電圧を受信して第１中間電圧に出力し、第４電圧フォロワは、前記第４電圧選択器の出力電圧を受信して第２中間電圧に出力する。
【００２２】
第３抵抗列は、前記最上位ガンマ電圧、前記第１中間電圧、前記第２中間電圧、そして前記最下位ガンマ電圧を受信して第２複数の中間電圧を発生させ、複数の電圧選択器は、前記第２複数の中間電圧のうち複数の基準電圧を選択する。複数の電圧フォロワは、前記複数の基準電圧を受信して安定化された複数の基準電圧に出力する。そして、第４抵抗列は、前記最上位ガンマ電圧、前記安定化された複数の基準電圧及び前記最下位ガンマ電圧を受信してガンマ電圧を出力する。
【００２３】
前記他の技術的課題を達成するための本発明の実施形態によるガンマ調整方法は、複数の電圧レベルのうちガンマ電圧を選択してガンマ電圧を調整できるガンマ調整方法に関する。
【００２４】
ガンマ調整方法は、第１電源電圧と第２電源電圧との間の第１複数の電圧レベルのうち最上位ガンマ電圧と最下位ガンマ電圧とを選択する段階、前記最上位ガンマ電圧と前記最下位ガンマ電圧との間の第２複数の電圧レベルのうち第１中間電圧と第２中間電圧とを選択する段階、前記最上位ガンマ電圧と前記第１中間電圧との間、前記第１中間電圧と前記第２中間電圧との間、及び前記第２中間電圧と前記最下位中間電圧との間の各々の複数の電圧レベルのうち基準電圧を選択する段階及び前記最上位ガンマ電圧、前記基準電圧及び前記最下位ガンマ電圧を基準にしてガンマ電圧を発生させる段階を備える。
【００２５】
前記最上位ガンマ電圧と前記最下位ガンマ電圧とを選択する段階は、前記第１電源電圧と前記第２電源電圧を抵抗列で連結して前記第１複数の電圧レベルを発生させる段階、第１制御信号によって前記第１複数の電圧レベルのうち最上位ガンマ電圧を選択する段階、及び第２制御信号によって前記第１複数の電圧レベルのうち最下位ガンマ電圧を選択する段階をさらに備える。
【００２６】
前記第１中間電圧と前記第２中間電圧とを選択する段階は、前記最上位ガンマ電圧と前記最下位ガンマ電圧とを抵抗列で連結して前記第２複数の電圧レベルを発生させる段階、第３制御信号によって前記第２複数の電圧レベルのうち第１中間電圧を選択する段階、及び第４制御信号によって前記第２複数の電圧レベルのうち第２中間電圧を選択する段階をさらに備える。
【発明の効果】
【００２７】
本発明によるガンマ調整回路及びガンマ調整方法は、最上位ガンマ電圧と最下位ガンマ電圧とを複数の電圧のうち選択して出力することで少ないチップ面積で多様なガンマ電圧を提供できる長所がある。
【発明を実施するための最良の形態】
【００２８】
本発明と本発明の動作上の利点及び本発明の実施によって達成される目的を十分に理解するためには、本発明の望ましい実施形態を例示する添付図面及び添付図面に記載された内容を参照しなければならない。
【００２９】
以下、添付した図面を参照して、本発明の望ましい実施形態を説明することによって、本発明を詳しく説明する。各図面に付された同じ参照符号は、同じ部材を表わす。
【００３０】
図５は、本発明の実施形態によるガンマ調整回路を表わす。図５を参照すれば、本発明の実施形態によるガンマ調整回路５００は、第１ガンマ電圧選択部５１０、第２ガンマ電圧選択部５３０、第３ガンマ電圧選択部５５０及びガンマ電圧発生部５７０を備える。
【００３１】
第１ガンマ電圧選択部５１０の第１抵抗列５１２は、第１電源電圧VDDと第２電源電圧VSSとを連結して第１複数の電圧を発生させる。第１電圧選択器５１４は、発生した第１複数の電圧のうち第１制御信号C1によって最上位ガンマ電圧V0、すなわち、第１基準電圧VREF1を選択する。第１基準電圧VREF1と最上位ガンマ電圧V0とは同じ電圧である。第２電圧選択器５１６は、第２制御信号C2によって第８基準電圧VREF8、すなわち、最下位ガンマ電圧V63に第１複数の電圧のうち一つの電圧を選択する。最下位ガンマ電圧V63と第８基準電圧VREF8とは、同じ電圧として使われる位置によって名称だけ異なる電圧である。
【００３２】
第１基準電圧VREF1と第８基準電圧VREF8は、第１ガンマ電圧選択部以後、他の部分で使われる電圧なので安定した電圧を維持するために第１電圧フォロワ５１８と第２電圧ウォロワ５２０とを介して出力される。従来のガンマ調整回路では、最上位ガンマ電圧と最下位ガンマ電圧とを発生させるために可変抵抗を使ったが、本発明は、抵抗列で生成された複数の電圧レベルのうち一つの電圧を選択する方式を使うことで可変抵抗によって多くの面積が必要であったガンマ調整回路の面積を低減できる。
【００３３】
第２ガンマ電圧選択部５３０は、第２抵抗列５３２、第３電圧選択器５３４、第４電圧選択器５３６、第３電圧フォロワ５３８及び第４電圧フォロワ５４０を備える。第２抵抗列５３２は、第１ガンマ電圧選択部５１０の出力電圧である第１基準電圧VREF1と第８基準電圧VREF8とを連結して第２複数の電圧を発生させる。第３電圧選択器５３４は、第３制御信号C3によって第２複数の電圧のうち一つを選択して第１中間電圧に出力し、第４電圧選択器５３６は、第４制御信号C4によって第２複数の電圧のうち一つを選択して第２中間電圧に出力する。
【００３４】
第１中間電圧と第２中間電圧は、ガンマ曲線の全体的な傾きを決定する電圧であって、図３に示されたようにガンマ電圧の範囲が一定した状態でガンマ曲線の傾きを調節することができる。第３電圧フォロワ５３８と第４電圧フォロワ５４０は、第１及び第２電圧フォロワ５１８、５２０のように出力電圧を安定化させる役割を果たす。
【００３５】
従来のガンマ調整回路で第１中間電圧と第２中間電圧とを発生させるために可変抵抗を使うのと異なり、本発明では抵抗列で多くの電圧レベルを発生させた後、適当な電圧を選択する方式に変更することで少ない面積のガンマ調整回路を具現することができる。
【００３６】
第３ガンマ電圧選択部５５０は、第３抵抗列５５２、第４抵抗列５５４、第５抵抗列５５６、複数の電圧選択器５５８及び複数の電圧フォロワを備える。第３抵抗列５５２は、第１基準電圧VREF1と第１中間電圧とを連結して第３複数の電圧を発生させ、第４抵抗列５５４は、第１中間電圧と第２中間電圧とを連結して第４複数の電圧を発生させ、第５抵抗列５５６は、第２中間電圧と第８基準電圧VREF8とを連結して第５複数の電圧を発生させる。
【００３７】
複数の電圧選択器５５８は、第３、第４及び第５複数の電圧のうち対応する基準電圧制御信号Q1〜Q6によって第２基準電圧VREF2ないし第７基準電圧VREF7を選択出力する。第２基準電圧VREF2ないし第７基準電圧VREF7は、安定化された電圧を提供するために複数の電圧フォロワを介して出力することができる。ガンマ電圧発生部５７０は、抵抗列で構成され、第１基準電圧VREF1ないし第８基準電圧VREF8を入力されて複数のガンマ電圧V0〜V63を発生させて出力する。
【００３８】
図６は、本発明の他の実施形態によるガンマ調整回路のガンマ調整方法を表わすフローチャートである。図６を参照すれば、本発明の実施形態によるガンマ調整方法は、最上位ガンマ電圧と最下位ガンマ電圧とを複数の電圧レベルのうち選択することでガンマ電圧を調整するガンマ調整方法に関する。
【００３９】
ガンマ調整方法６００は、第１電源電圧と第２電源電圧との間の第１複数の電圧レベルのうち最上位ガンマ電圧と最下位ガンマ電圧とを選択する段階(610)、最上位ガンマ電圧と最下位ガンマ電圧との間の第２複数の電圧レベルのうち第１中間電圧と第２中間電圧とを選択する段階(620)、最上位ガンマ電圧と第１中間電圧との間、第１中間電圧と第２中間電圧との間、及び第２中間電圧と最下位ガンマ電圧との間の各々の複数の電圧レベルのうち基準電圧を選択する段階(630)及び最上位ガンマ電圧、基準電圧及び最下位ガンマ電圧を基準にしてガンマ電圧を発生させる段階(640)を備える。
【００４０】
最上位ガンマ電圧と最下位ガンマ電圧とを選択する段階(610)は、詳細には、第１電源電圧と第２電源電圧とを抵抗列で連結して第１複数の電圧レベルを発生させる段階(612)、及び第１制御信号と第２制御信号によって第１複数の電圧レベルのうち最上位ガンマ電圧と最下位ガンマ電圧とを選択する段階(614)をさらに備える。
【００４１】
第１中間電圧と第２中間電圧とを選択する段階(620)は、最上位ガンマ電圧と最下位ガンマ電圧とを抵抗列で連結して第２複数の電圧レベルを発生させる段階(612)、及び第３制御信号と第４制御信号とによって第２複数の電圧レベルのうち第１中間電圧と第２中間電圧とを選択する段階(624)をさらに備える。
【００４２】
以上のように、図面と明細書で最適実施形態が開示された。ここで、特定の用語が使われたが、これは、単に本発明を説明するための目的で使われたものであって意味限定や特許請求の範囲に記載の本発明の範囲を制限するために使われたものではない。したがって、 当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００４３】
本発明によるガンマ調整回路及びガンマ調整方法は、半導体装置またはディスプレイ装置の駆動回路に使用されうる。
【図面の簡単な説明】
【００４４】
【図１】ディスプレイ駆動装置の一部を表わすブロック図である。
【図２】従来のガンマ調整回路を表わす図面である。
【図３】図２のガンマカーブ調整例を表わす図面である。
【図４】図２の可変抵抗を表わす図面である。
【図５】本発明によるガンマ調整回路を表わす図面である。
【図６】本発明の他の実施形態によるガンマ調整回路のガンマ調整方法を表わすフローチャートである。
【符号の説明】
【００４５】
１１０：ガンマ調整回路
１２０：デコーダ
２１４，２１６，２３４，２３６：可変抵抗
２５８：電圧選択器
２５２，２５４，２５６，２７０：抵抗列
５１０：第１ガンマ電圧選択部
５３０：第２ガンマ電圧選択部
５５０：第３ガンマ電圧選択部
５７０：ガンマ電圧発生部
５１４，５１６，５３４，５３６：電圧選択器
【図１】
0005503099.tif 000002
【図２】
0005503099.tif 000003
【図３】
0005503099.tif 000004
【図４】
0005503099.tif 000005
【図５】
0005503099.tif 000006
【図６】
0005503099.tif 000007